(57)【要約】【課題】カードコネクタにメモリカードを嵌合した時のカード抜け防止、カードの無理抜き防止、イジェクト時のカード飛び出し防止を可能にしたロック装置を提供すること。【解決手段】プッシュイン・プッシュイジェクト型のカードコネクタにおいて、ロックばね１９は、板ばねからなり、スライダ１２に固定する基端の固定端部４６と、メモリカード１１の凹部１６に係合する突出部２１と、先端の湾曲部４４とを備え、コネクタ本体５８内におけるイジェクト部２５の解除時の前記湾曲部４４の位置に臨ませて、衝撃吸収部材５１を設ける。この衝撃吸収部材５１は、メタルカバー３０における前板部４９の一部を切起こしてＵ字形に折曲してもよいし、ハウジング１０と一体に構成してもよい。【選択図】図１
2010165139.tif 000002
【特許請求の範囲】
【請求項１】
コネクタ本体へのメモリカードの挿入により前記コネクタ本体内で進退動するスライダに設けたロックばねに前記メモリカードをロックし、かつ、前記スライダに設けたイジェクト部にてメモリカードの挿入位置を保持し、前記メモリカードの再度の押圧により前記イジェクト部を解除し、前記スライダを元の位置に戻した後、メモリカードを抜き取るようにしたカードコネクタにおけるロック装置において、前記ロックばねは、前記スライダに固定する基端の固定端部と、メモリカードの凹部に係合する突出部と、先端の湾曲部とを備え、前記コネクタ本体内におけるイジェクト部の解除時の前記湾曲部の位置に臨ませて衝撃吸収部材を設けたことを特徴とするカードコネクタにおけるロック装置。
【請求項２】
コネクタ本体は、ハウジングとこのハウジングに被せたメタルカバーとからなり、衝撃吸収部材は、前記メタルカバーにおける前板部の一部を切起こしてＵ字形に折曲したものからなることを特徴とする請求項１記載のカードコネクタにおけるロック装置。
【請求項３】
衝撃吸収部材の先端に、ロックばねの先端の湾曲部と係合する屈折片を一体に形成したことを特徴とする請求項２記載のカードコネクタにおけるロック装置。
【請求項４】
コネクタ本体へのメモリカードの挿入により前記コネクタ本体内で進退動するスライダに設けたロックばねに前記メモリカードをロックし、かつ、前記スライダに設けたイジェクト部にてメモリカードの挿入位置を保持し、前記メモリカードの再度の押圧により前記イジェクト部を解除し、前記スライダを元の位置に戻した後、メモリカードを抜き取るようにしたカードコネクタにおけるロック装置において、前記ロックばねは、前記スライダに固定する基端の固定端部と、メモリカードの凹部に係合する突出部と、先端の湾曲部と、この湾曲部からＵ字形にさらに延長した接触端部とを備え、前記コネクタ本体内におけるイジェクト部の解除時の前記湾曲部の位置に臨ませて衝撃吸収部材を設けるとともに、前記コネクタ本体内におけるイジェクト部の解除時の前記接触端部に臨ませてメタルカバーの側板部を切起こして前記ロックばねの横移動を規制する規制用板ばね部を設けたことを特徴とするカードコネクタにおけるロック装置。
【請求項５】
コネクタ本体へのメモリカードの挿入により前記コネクタ本体内で進退動するスライダに設けたロックばねに前記メモリカードをロックし、かつ、前記スライダに設けたイジェクト部にてメモリカードの挿入位置を保持し、前記メモリカードの再度の押圧により前記イジェクト部を解除し、前記スライダを元の位置に戻した後、メモリカードを抜き取るようにしたカードコネクタにおけるロック装置において、前記ロックばねは、前記スライダに固定する基端の固定端部と、メモリカードの凹部に係合する突出部と、先端の湾曲部と、この湾曲部からＵ字形にさらに延長した接触端部とを備え、前記コネクタ本体内におけるイジェクト部の解除時の前記湾曲部の位置に臨ませて衝撃吸収部材を設けるとともに、前記コネクタ本体内におけるイジェクト部の解除時の前記接触端部に臨ませてメタルカバーの側板部を切起こして前記ロックばねの横移動を規制する規制用板ばね部を設け、前記コネクタ本体内におけるイジェクト部の係止時の前記接触端部に臨ませてロックばねの接触端部が乗りあがったとき、ロックばねによるメモリカードの保持力を高めるための突起部を設けたことを特徴とするカードコネクタにおけるロック装置。
【請求項６】
突起部は、ハウジングの側壁部を膨出して設けたことを特徴とする請求項５記載のカードコネクタにおけるロック装置。
【請求項７】
突起部は、メタルカバーの側板部を膨出して設けたことを特徴とする請求項５記載のカードコネクタにおけるロック装置。
【請求項８】
突起部は、メタルカバーの天板部の側板部に近い一部を切起こし、この切起こしをハウジングの側壁部の内側に臨ませて設けたことを特徴とする請求項５記載のカードコネクタにおけるロック装置。
【発明の詳細な説明】
【技術分野】
【０００１】
本発明は、プッシュイン・プッシュイジェクト型のカードコネクタにおいて、メモリカードをコネクタ本体内に嵌合したときに衝撃等にてカードが抜け出るのを防止し、かつ、カードイジェクト時のカードの飛び出しを防止するようにしたカードコネクタにおけるロック装置に関するものである。
【背景技術】
【０００２】
従来のプッシュイン・プッシュイジェクト型のカードコネクタが図７（ａ）（ｂ）に示される（特許文献１）。これらの図において、扁平なハウジング１０の上にメタルカバーが被せられてコネクタ本体が構成され、このコネクタ本体の一端開口部分がカード挿入口１４となっている。前記ハウジング１０内には、スライダ１２が両端の第１ばね１７と第２ばね１８によって進退自在に配置されている。前記スライダ１２の途中に横孔２４が形成され、この横孔２４に臨ませてロックばね１９が設けられている。また、スライダ１２の側面には、図８に示すようなイジェクト部２５が形成されている。
【０００３】
このような構成において、メモリカード１１をカード挿入口１４に差し込むと、メモリカード１１の傾斜した先端部１５がロックばね１９の突出部２１に接触する。さらにメモリカード１１を押し込むと、メモリカード１１の側面によってロックばね１９は鎖線のように押し出され、自由端２２がハウジング１０の側壁部１３に穿設した開口２３側に突出する。さらにメモリカード１１を押し込み、メモリカード１１の凹部１６がロックばね１９の突出部２１の位置に達すると、ロックばね１９が復帰して凹部１６に突出部２１が嵌合する。同時に、メモリカード１１の先端部１５がスライダ１２の当接面２０に当接する。
この状態でメモリカード１１をさらに押し込むと、メモリカード１１とスライダ１２が第１ばね１７、第２ばね１８に抗して一体に移動する。このとき、係止ピン２６の先端の屈折端が往路溝２７をガイドされ、メモリカード１１が行き止まりになった時点でメモリカード１１の押し出しを停止すると、係止ピン２６の先端の屈折端が係止溝２８に係止してスライダ１２はロックされる（図７（ｂ）状態）。以上がプッシュイン動作である。
【０００４】
メモリカード１１を抜き取る時には、図７（ｂ）の状態においてメモリカード１１を押し込むと、係止ピン２６の先端の屈折端が係止溝２８から復路溝２９側に進路を変え、第１ばね１７と第２ばね１８とによってスライダ１２が押し出されて元の位置に戻る。この時、メモリカード１１は、図７（ａ）の鎖線状態となる。さらにメモリカード１１を手で引き抜くと、ロックばね１９が鎖線状態に押し出されて凹部１６から外れ、メモリカード１１は、カード挿入口１４から抜き取られる。以上がプッシュイジェクト動作である。
【先行技術文献】
【特許文献】
【０００５】
【特許文献１】特開２００１−３２６０２８号公報。
【発明の概要】
【発明が解決しようとする課題】
【０００６】
解決しようとする問題点は、次の通りである。
（１）メモリカード１１がハウジング１０内に嵌合している状態、すなわち、メモリカード１１の凹部１６にスライダ１２のロックばね１９が係止し、スライダ１２がハウジング１０の内方端でイジェクト部２５により係止している状態において、このカードコネクタを落下させたり、物にぶつけたりして衝撃が与えられることにより、イジェクトされてスライダ１２とメモリカード１１が飛び出し、さらにメモリカード１１が抜け出るという恐れがあった。
（２）メモリカード１１がハウジング１０内に嵌合している状態において、メモリカード１１を無理に引き抜くとロックばね１９が変形してしまい、その後の嵌合が不完全になる恐れがあった。
（３）メモリカード１１の挿抜時に、ロックばね１９の自由端２２が開口２３側に押し出されるので、挿抜の繰り返しによってカードロック力が不足したり、逆に強く設定するとロックばね１９が変形したりする恐れがあり、突出部２１と凹部１６における適切な係脱ができなくなる。
【０００７】
本発明は、嵌合時のカード抜け防止、カードの無理抜き防止、イジェクト時のカード飛び出し防止を可能にしたカードコネクタにおけるロック装置を提供することを目的とするものである。
【課題を解決するための手段】
【０００８】
本発明は、コネクタ本体５８へのメモリカード１１の挿入により前記コネクタ本体５８内で進退動するスライダ１２に設けたロックばね１９に前記メモリカード１１をロックし、かつ、前記スライダ１２に設けたイジェクト部２５にてメモリカード１１の挿入位置を保持し、前記メモリカード１１の再度の押圧により前記イジェクト部２５を解除し、前記スライダ１２を元の位置に戻した後、メモリカード１１を抜き取るようにしたカードコネクタにおけるロック装置において、前記ロックばね１９は、前記スライダ１２に固定する基端の固定端部４６と、メモリカード１１の凹部１６に係合する突出部２１と、先端の湾曲部４４とを備え、前記コネクタ本体５８内におけるイジェクト部２５の解除時の前記湾曲部４４の位置に臨ませて衝撃吸収部材５１を設けたことを特徴とする。
【０００９】
衝撃吸収部材５１は、前記メタルカバー３０における前板部４９の一部を切起こしてＵ字形に折曲して形成する。また、メタルカバー以外の弾性材で構成してハウジング１０に組み込んでもよいし、ハウジング１０と一体に構成してもよい。
【００１０】
前記ロックばね１９は、板ばねの折曲加工により、前記スライダ１２に固定する基端の固定端部４６と、メモリカード１１の凹部１６に係合する突出部２１と、先端の湾曲部４４の他に、この湾曲部４４からＵ字形にさらに延長した接触端部４５とを備え、前記コネクタ本体５８内におけるイジェクト部２５の解除時の前記湾曲部４４の位置に臨ませて衝撃吸収部材５１を設けるとともに、前記コネクタ本体５８内におけるイジェクト部２５の解除時の前記接触端部４５に臨ませてメタルカバー３０の側板部４８を切起こして前記ロックばね１９の横移動を規制するとともに、カードロック力を調整する規制用板ばね部５３を設けることができる。
【００１１】
前記コネクタ本体５８内におけるイジェクト部２５の係止時の前記接触端部４５に臨ませてロックばね１９の接触端部４５が乗りあがったとき、ロックばね１９によるメモリカード１１の保持力を高めるための突起部３９を設ける。この突起部３９は、ハウジング１０の側壁部１３を膨出して設けてもよいし、メタルカバー３０の側板部４８を膨出して設けてもよい。さらに、突起部は、メタルカバーの天板部の側板部に近い一部を切起こし、この切起こしをハウジングの側壁部の内側に臨ませて設けてもよい。
【発明の効果】
【００１２】
請求項１記載の発明によれば、ロックばねは、スライダに固定する基端の固定端部と、メモリカードの凹部に係合する突出部と、先端の湾曲部とを備え、コネクタ本体内におけるイジェクト部の解除時の湾曲部の位置に臨ませて衝撃吸収部材を設けたので、メモリカードを挿入した状態で、カードコネクタ装置を落下したり、コネクタ本体を強く物にぶつけたりして衝撃を与えたために、スライダがイジェクト部から脱出してスライダとメモリカードが生きよいよく飛び出しても、ロックばねの先端の湾曲部が衝撃吸収部材に当接し、この衝撃吸収部材のばね性によりスライダが減速と衝撃緩和（ダンパー効果）され、メモリカード１１が抜け出ることはない。
【００１３】
請求項２記載の発明によれば、衝撃吸収部材は、メタルカバーにおける前板部の一部を切起こしてＵ字形に折曲したので、メタルカバーの切り起しと折曲加工だけという簡単な構成でスライダが減速され、衝撃緩和（ダンパー効果）される。
【００１４】
請求項３記載の発明によれば、衝撃吸収部材の先端に、ロックばねの先端の湾曲部と係合する屈折片を一体に形成したので、ロックばねの湾曲部が屈折片に接触してロックばねの横移動するのを抑制する。
【００１５】
請求項４記載の発明によれば、コネクタ本体内におけるイジェクト部の解除時の湾曲部の位置に臨ませて衝撃吸収部材を設けるとともに、コネクタ本体内におけるイジェクト部の解除時の接触端部に臨ませてメタルカバーの側板部を切起こしてロックばねの横移動を規制するとともに、カードロック力を調整する規制用板ばね部を設けたので、長期間の使用によってもロックばねが変形することがなく、常にメモリカードとロックばねの適切な係脱が可能となる。
【００１６】
請求項５記載の発明によれば、コネクタ本体内におけるイジェクト部の係止時の接触端部に臨ませてロックばねの接触端部が乗りあがったとき、ロックばねによるメモリカードの保持力を高めることができ、メモリカードを無理抜きしようとしてもロックばねの横移動を規制して凹部から突出部が外れるのを防止し、メモリカードが抜け出ることがない。
【００１７】
請求項６記載の発明によれば、突起部は、ハウジングの成型時に側壁部を一体に膨出して設けることができる。
【００１８】
請求項７記載の発明によれば、突起部は、メタルカバーの側板部をプレスなどによる折曲加工時に膨出して設けることができる。
【００１９】
請求項８記載の発明によれば、突起部は、メタルカバーの天板部の側板部に近い一部を切起こし、この切起こしをハウジングの側壁部の内側に臨ませて設けることにより、ハウジングの側壁部に何らの加工をも施すことなくメタルカバーの天板部の切起こしだけで形成できる。
【図面の簡単な説明】
【００２０】
【図１】本発明によるカードコネクタにおけるロック装置の実施例１を示すもので、メタルカバー３０を除いた平面図である。
【図２】本発明によるカードコネクタにおけるロック装置の実施例１を示す分解斜視図である。
【図３】本発明によるスライダ１２とロックばね１９の平面図である。
【図４】同上斜視図である。
【図５】本発明による突起部３９の他の実施例を示すもので、（ａ）は、メタルカバーの側板部を膨出して形成した例の一部の平面図、（ｂ）は、メタルカバーの天板部の側板部に近い一部を切起こし、この切起こしをハウジングの側壁部の内側に臨ませて設けた例の斜視図と平面図である。
【図６】本発明によるカードコネクタにおけるロック装置の動作を説明するもので、（ａ）は、メモリカード１１を挿入した直後の状態を示す一部の平面図、（ｂ）は、メモリカード１１を係止した状態を示す一部の平面図、（ｃ）は、メモリカード１１を正常にイジェクトした状態を示す一部の平面図、（ｄ）は、メモリカード１１を急激にイジェクトした状態を示す一部の平面図である。
【図７】従来のカードコネクタにおけるロック装置の動作を説明するもので、（ａ）における実線は、メモリカード１１を挿入した直後の状態を示す一部の平面図、２点鎖線は、凹部１６にロックばね１９を係止した状態を示す一部の平面図、（ｂ）は、メモリカード１１を係止した状態を示す一部の平面図である。
【図８】図７におけるイジェクト部２５の正面図である。
【発明を実施するための形態】
【００２１】
本発明によるカードコネクタにおけるロック装置は、コネクタ本体５８へのメモリカード１１の挿入により前記コネクタ本体５８内で進退動するスライダ１２に設けたロックばね１９に前記メモリカード１１をロックし、かつ、前記スライダ１２に設けたイジェクト部２５にてメモリカード１１の挿入位置を保持し、前記メモリカード１１の再度の押圧により前記イジェクト部２５を解除し、前記スライダ１２を元の位置に戻した後、メモリカード１１を抜き取るようにしたカードコネクタにおけるロック装置に適用される。
前記ロックばね１９は、前記スライダ１２に固定する基端の固定端部４６と、メモリカード１１の凹部１６に係合する突出部２１と、先端の湾曲部４４とを備え、前記コネクタ本体５８内におけるイジェクト部２５の解除時の前記湾曲部４４の位置に臨ませて衝撃吸収部材５１を設ける。
【００２２】
コネクタ本体５８は、ハウジング１０とこのハウジング１０に被せたメタルカバー３０とからなり、衝撃吸収部材５１は、前記メタルカバー３０における前板部４９の一部を切起こしてＵ字形に折曲する。
衝撃吸収部材５１には、その先端に、ロックばね１９の先端の湾曲部４４と係合する屈折片５２を一体に形成することが好ましい。
【００２３】
ロックばね１９は、スライダ１２に固定する基端の固定端部４６と、メモリカード１１の凹部１６に係合する突出部２１と、先端の湾曲部４４と、この湾曲部４４からＵ字形にさらに延長した接触端部４５とを備え、コネクタ本体５８内におけるイジェクト部２５の解除時の湾曲部４４の位置に臨ませて衝撃吸収部材５１を設けるとともに、コネクタ本体５８内におけるイジェクト部２５の解除時の接触端部４５に臨ませてメタルカバー３０の側板部４８を切起こしてロックばね１９の横移動を規制するとともに、カードロック力を調整する規制用板ばね部５３を設ける。
【００２４】
コネクタ本体５８内におけるイジェクト部２５の係止時の接触端部４５に臨ませてロックばね１９の接触端部４５が乗りあがったとき、ロックばね１９によるメモリカード１１の保持力を高めるための突起部３９を設ける。
この突起部３９は、ハウジング１０の側壁部１３を膨出して設けてもよいし、また、メタルカバー３０の側板部４８を膨出して設けてもよい。
【実施例１】
【００２５】
本発明によるカードコネクタにおけるロック装置の実施例１を図１ないし図６に基づき説明する。
図１、図２に示すように、ハウジング１０とメタルカバー３０でコネクタ本体５８が構成され、このコネクタ本体５８の内部には、スライダ１２と、ロックばね１９と、ばね４０を有し、前記スライダ１２の側面の溝と係止ピン２６とでイジェクト部２５が構成されている。
前記ハウジング１０は、メモリカード１１を挿入する広さをもった底板部３２と、この底板部３２の側部と後部に略メモリカード１１の厚さと略等しい幅の側壁部１３と後壁部３１が一体に形成されている。また、ハウジング１０には、前記側壁部１３の内側に沿ってスライダ摺動溝３３が形成され、このスライダ摺動溝３３の後部に位置してピン係合孔３４とばね係止凹部３５とスライダ係止部３８が設けられ、このスライダ摺動溝３３の前部に位置した側壁部１３の内側に突起部３９が設けられる。この突起部３９は、図６（ｂ）に示すように、ロックばね１９の接触端部４５が乗りあがったとき、ロックばね１９によるメモリカード１１の保持力を高めるため、剛性を増大させる。前記側壁部１３の前端部を一部切り欠いて開口部５５が設けられている。前記コネクタ本体５８の前面部には、カード挿入口１４が開口し、また、底板部３２の上面には、前記カード挿入口１４側から複数のコネクタ片３７が設けられている。さらに、底板部３２の後部には、メモリカード１１の挿入時に閉じる開閉端子３６が設けられている。
【００２６】
前記スライダ１２は、前記スライダ摺動溝３３内に進退自在に嵌合し、側方に押圧突起部４１が突出し、この押圧突起部４１のばね保持軸４２と前記ばね係止凹部３５との間にばね４０が介在してスライダ１２を常時手前（前面）側に付勢している。このスライダ１２の上面には、ロックばね１９が取り付けられ、また、前記ピン係合孔３４とスライダ１２の溝には、コの字形の係止ピン２６が係合している。
前記ロックばね１９は、板ばねを折曲加工し、全体の１／４程度の長さ部分の固定端部４６がスライダ１２に埋め込まれ、この固定端部４６から１／２程度の長さの直線部５６が直線的に延び、この直線部５６の先端から突出部２１を形成し、更に傾斜部４３を経てＵ字形の湾曲部４４とし、この湾曲部４４の折り返し部分から１／４程度の長さを延ばして先端を弧状にして接触端部４５とする。
前記スライダ１２の上面に形成されたイジェクト部２５は、一端から他端に形成された往路溝２７と、この往路溝２７の先端から段差をもって折り返した係止溝２８と、この係止溝２８から他端に向けて段差をもって延びてから折り返し、さらに段差をもって前記往路溝２７の始点に連通する復路溝２９とで構成され、これらの溝２７，２８，２９を係止ピン２６の一端部が摺動し、また、係止ピン２６の他端部が前記ピン係合孔３４に揺動自在に差し込まれている。
【００２７】
前記メタルカバー３０は、導電性金属板を折曲加工したもので、天板部４７と、両側の側板部４８と、前端の前板部４９と、後端の後板部５０とからなる。前記前板部４９は、角隅を残して切起こし、内側にＵ字形に折り返して衝撃吸収部材５１とし、この衝撃吸収部材５１の先端をやや湾曲して屈折片５２とする。前記側板部４８は、前記開口部５５に位置した部分を切起こし、先端をやや内側に湾曲して前記ロックばね１９の横移動を規制する規制用板ばね部５３とする。図６（ｃ）のように、この規制用板ばね部５３が内側に突出して正常なロックばね１９の接触端部４５と接触している距離ｘを設定することで、メモリカード１１が抜き取られる時のロックばね１９のカードロック力を調整して設定される。前記天板部４７の前記係止ピン２６の上部に位置した部分を切起こして係止ピン２６を常時押し下げるとともに、スライダ１２とメモリカード１１の動きを減速させるためのピン押圧用板ばね部５４を形成する。
【００２８】
以上のように形成されたハウジング１０のスライダ摺動溝３３にロックばね１９付きのスライダ１２を嵌め込み、係止ピン２６の一端をピン係合孔３４に、他端を往路溝２７に嵌め込み、さらに、ばね係止凹部３５とばね保持軸４２の間にばね４０を装着する。すると、スライダ１２は、ばね４０によって図６（ａ）のように手前側に押し出される。スライダ１２を組み込んだ後、天板部４７を上から被せて側板部４８や後板部５０に設けた舌片５７を内側に折り返して固定する。するとコネクタ本体５８の手前側にカード挿入口１４が開口する。
【００２９】
次にメモリカード１１の挿抜動作を説明する。
メモリカード１１は、図１に示すように、先端部１５側がやや幅が狭く、途中に傾斜した当接面２０を有し、この当接面２０より手前側に凹部１６を有する。
図６（ａ）において、メモリカード１１をカード挿入口１４から差し込む。すると、最初にメモリカード１１の当接面２０がロックばね１９の傾斜部４３に接触する。さらにメモリカード１１を押し込むと、スライダ１２は、ばね４０で押し出されたままの位置でロックばね１９の直線部５６が湾曲して横方向にずれる。この時、ロックばね１９の接触端部４５は、カードロック力を調整する規制用板ばね部５３からわずかにずれて接しており、ロックばね１９は、調整されたカードロック力をもって横方向にずれる。
【００３０】
メモリカード１１をさらに押し込むと、ロックばね１９の突出部２１が当接面２０を乗り越えてメモリカード１１の側面を摺動し、凹部１６に嵌合する。同時にメモリカード１１の当接面２０がスライダ１２の押圧突起部４１に達して接触する。この状態でメモリカード１１を押し込むと、スライダ１２は、ばね４０に抗して押し込まれ、係止ピン２６の先端部が往路溝２７にガイドされつつこの往路溝２７の先端部まで達する。この状態でメモリカード１１の押圧を解除すると、係止ピン２６の先端部は、段差にガイドされて係止溝２８に係止し、スライダ１２はわずかに後退して停止する。これが図６（ｂ）に示すプッシュイン状態である。この時、ロックばね１９の接触端部４５が突起部３９に乗り上げ、ロックばね１９によるメモリカード１１の保持力を高め無理抜きを防止している。また、開閉端子３６は閉じた状態となる。
【００３１】
メモリカード１１を抜き取るプッシュイジェクト時には、図６（ｂ）の状態から再度メモリカード１１を押し込むと、係止ピン２６の先端部が係止溝２８から復路溝２９へ移る。メモリカード１１の押し込みを解除すると、ばね４０によりスライダ１２が押し出され、係止ピン２６は段差のため、係止溝２８に戻らず復路溝２９に沿って移動し、さらに最初の往路溝２７へ戻る。この状態が図６（ｃ）である。メモリカード１１を抜き取るには、メモリカード１１を軽く引き出すと、ロックばね１９の接触端部４５は規制用板ばね部５３にわずかに位置をずらし、調整されたカードロック力で接しており、直線部５６が円滑に湾曲して、凹部１６に係合していたロックばね１９の突出部２１が横方向へずれて凹部１６から脱出する。
【００３２】
ここで、従来は、図７（ｂ）のようにメモリカード１１を挿入した状態で、カードコネクタにおけるロック装置を落下させたり、強く物にぶつけたりして衝撃が与えられた場合、スライダ１２がばね４０に抗して移動し、係止ピン２６の先端がイジェクト部２５の係止溝２８から復路溝２９側へ移動し、スライダ１２とメモリカード１１が生きよいよく飛び出したものとする。すると、メモリカード１１は、その凹部１６からロックばね１９の突出部２１が外れて抜け出る事態が生じるおそれがある。また、スライダ１２がイジェクト部２５から脱出しなくても、メモリカード１１に衝撃が与えられて凹部１６から突出部２１が外れてメモリカード１１のみが飛び出すおそれがある。さらに、図７（ｂ）のようにメモリカード１１が通常に挿入されている状態で、メモリカード１１を無理に引き出すと、凹部１６から突出部２１が外れてメモリカード１１が抜け出るおそれがある。
【００３３】
そこで、本発明では、このような事態が生じても以下の通り不具合が生じるのを抑制している。
（１）図６（ｂ）のようにメモリカード１１を挿入した状態で、カードコネクタ装置を落下したり、コネクタ本体５８を強く物にぶつけたりして衝撃が与えられたために、スライダ１２がばね４０に抗して移動し、係止ピン２６の先端が係止溝２８から復路溝２９側へ移動してスライダ１２がイジェクト部２５から脱出した場合、本発明では、図６（ｄ）に示すように、スライダ１２とメモリカード１１が生きよいよく飛び出すと、ロックばね１９の先端の湾曲部４４が衝撃吸収部材５１に当接し、この衝撃吸収部材５１のばね性によりスライダ１２が減速と衝撃緩和（ダンパー効果）されるとともに、湾曲部４４が屈折片５２に接触して横移動するのを抑制する。同時に、湾曲部４４が屈折片５２に当接するとともに、接触端部４５が規制用板ばね部５３に当接してロックばね１９の撓みを規制する。そのため、メモリカード１１が抜け出ることはない。
（２）スライダ１２がイジェクト部２５から脱出しない場合において、メモリカード１１に衝撃が与えられて凹部１６から突出部２１が外れてメモリカード１１が飛び出そうとしても、図６（ｂ）に示すように、ロックばね１９の接触端部４５が突起部３９に接していることにより、ロックばね１９の横移動を規制してばね剛性を増し、凹部１６から突出部２１が外れるのを防止し、メモリカード１１の飛び出しを防ぐ。
（３）図６（ｂ）のようにメモリカード１１が通常に挿入されている状態で、メモリカード１１を無理に引き出そうとすると、（２）の場合と同様に、ロックばね１９の接触端部４５が突起部３９に接していることにより、メモリカード１１を無理抜きしようとしてもロックばね１９の横移動を規制してばね剛性を増し、凹部１６から突出部２１が外れるのを防止し、メモリカード１１が抜け出ることがない。
【００３４】
前記実施例１において、衝撃吸収部材５１と屈折片５２は、メタルカバー３０の前板部４９における一部を切起こして形成したが、これに限られるものではなく、弾力性を有するプラスチック材などで形成してもよい。
前記実施例１において、ロックばね１９の接触端部４５が乗りあがったとき、ロックばね１９によるメモリカード１１の保持力を高めるための突起部３９は、ハウジング１０の側壁部１３を膨出して設けたが、これに限られるものではなく、図５（ａ）に示すように、メタルカバー３０の側板部４８を膨出して設けることもできる。さらに、図５（ｂ）に示すように、突起部３９は、メタルカバー３０の天板部４７の側板部４８に近い一部を切起こし、この切起こしをハウジング１０の側壁部１３の内側に臨ませて設けることもできる。
【符号の説明】
【００３５】
１０…ハウジング、１１…メモリカード、１２…スライダ、１３…側壁部、１４…カード挿入口、１５…先端部、１６…凹部、１７…第１ばね、１８…第２ばね、１９…ロックばね、２０…当接面、２１…突出部、２２…自由端、２３…開口、２４…横孔、２５…イジェクト部、２６…係止ピン、２７…往路溝、２８…係止溝、２９…復路溝、３０…メタルカバー、３１…後壁部、３２…底板部、３３…スライダ摺動溝、３４…ピン係合孔、３５…ばね係止凹部、３６…開閉端子、３７…コネクタ片、３８…スライダ係止部、３９…突起部、４０…ばね、４１…押圧突起部、４２…ばね保持軸、４３…傾斜部、４４…湾曲部、４５…接触端部、４６…固定端部、４７…天板部、４８…側板部、４９…前板部、５０…後板部、５１…衝撃吸収部材、５２…屈折片、５３…規制用板ばね部、５４…ピン押圧用板ばね部、５５…開口部、５６…直線部、５７…舌片、５８…コネクタ本体。
【図１】
2010165139.tif 000003
【図２】
2010165139.tif 000004
【図３】
2010165139.tif 000005
【図４】
2010165139.tif 000006
【図５】
2010165139.tif 000007
【図６】
2010165139.tif 000008
【図７】
2010165139.tif 000009
【図８】
2010165139.tif 000010